(57)【要約】【課題】従来は、何れも大がかりのものであり、且つ、水底に沈殿蓄積した汚泥を回収するには効果があるものの流れを有する河川や海等の水そのものを浄化することは困難であった。【解決手段】本発明は、微粒子状の凝集沈降剤と、凝集沈降剤をエアと共に圧送するエアコンプレッサー２と、エアコンプレッサーに接続し多数の散気孔を穿設した縦用配管３と、縦用配管い接続し散気孔を穿設した底用配管４と、底用配管と間隔を有して且つ縦用配管に接続すると共に散気孔を穿設した中間用配管５とを備えた水浄化装置１を用いて、水浄化装置を水流に対して遮るように配設すると共に、凝集沈降剤とエアとの固気混合体を圧送し、河川等の水流Ａ中にエアカーテン６を形成するものであり、更には、複数の水浄化装置を用いて、河川等の水域Ｂ中にエアカーテンを形成するものである。【選択図】    図１
2004268010.tif 000002
【特許請求の範囲】
【請求項１】
石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とする微粒子状の凝集沈降剤と、該凝集沈降剤をエアと共に圧送するエアコンプレッサーと、該エアコンプレッサーに上端を連通状態に接続し両側の上下方向に対峙させると共に相対する側に多数の散気孔を穿設した夫々の縦用配管と、該夫々の縦用配管の下端を連通状態で接続し上側に多数の散気孔を穿設した底用配管と、該底用配管と間隔を有して且つ両側の縦用配管に連通状態で接続すると共に上側に多数の散気孔を穿設した単数又は複数の中間用配管とを平面状に備えた水浄化装置を用いて、前記水浄化装置を水流に対して遮るように配設すると共に、前記エアコンプレッサーから前記凝集沈降剤とエアとの固気混合体を圧送し、前記多数の散気孔から前記固気混合体を噴射させることによって河川等の水流中にエアカーテンを形成することを特徴とする河川等の水浄化方法。
【請求項２】
石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とする微粒子状の凝集沈降剤と、該凝集沈降剤をエアと共に圧送するエアコンプレッサーと、該エアコンプレッサーに上端を連通状態に接続し両側の上下方向に対峙させると共に相対する側に多数の散気孔を穿設した夫々の縦用配管と、該夫々の縦用配管の下端を連通状態で接続し上側に多数の散気孔を穿設した底用配管と、該底用配管と間隔を有して且つ両側の縦用配管に連通状態で接続すると共に上側に多数の散気孔を穿設した単数又は複数の中間用配管とを平面状に備えた複数の水浄化装置を用いて、前記複数の水浄化装置を水域に対して囲うように配設すると共に、前記エアコンプレッサーから前記凝集沈降剤とエアとの固気混合体を圧送し、前記多数の散気孔から前記固気混合体を噴射させることによって河川等の水域中にエアカーテンを形成することを特徴とする河川等の水浄化方法。
【発明の詳細な説明】
【０００１】
【産業上の利用分野】
本発明は河川等の水浄化方法に関するものであり、更に詳細には、河川、海等の流れのある場所、又は、湖沼等の流れのない場所の汚水を簡易な装置を用いて浄化する方法に関するものである。
【０００２】
【従来技術】
従来、この種の水浄化方法及び装置は各種開発され実施されており、例えば、エアリフト管を水中に浮かべて、水中に上下方向の旋回流を起こすと共に凝集剤を添加して、水底に沈殿蓄積している汚泥を巻き揚げ凝集汚泥として、多数の回収ネットで凝集汚泥を回収する方法（特許文献１参照）や、水中に筒状体を降ろし、筒状体の中に高圧流体と凝集剤とを混合しながら攪拌して汚泥を凝集汚泥としてフロートに設けた回収ネットで回収する方法（特許文献２参照）があった。
【０００３】
【特許文献１】
特開平８−２２９５９９号公報
【特許文献２】
特開平９−７０５０４号公報
【０００４】
【発明が解決しようとする課題】
然し乍ら、従来の水浄化方法は、何れも大がかりのものであり、且つ、水底に沈殿蓄積した汚泥を回収するには効果があるものの流れを有する河川や海等の水そのものを浄化することは困難であった。
【０００５】
【課題を解決するための手段】
本発明は、前述の課題に鑑み、鋭意研鑽の結果、石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とする微粒子状の凝集沈降剤と、凝集沈降剤をエアと共に圧送するエアコンプレッサーと、エアコンプレッサーに上端を連通状態に接続し両側の上下方向に対峙させると共に相対する側に多数の散気孔を穿設した夫々の縦用配管と、夫々の縦用配管の下端を連通状態で接続し上側に多数の散気孔を穿設した底用配管と、底用配管と間隔を有して且つ両側の縦用配管に連通状態で接続すると共に上側に多数の散気孔を穿設した単数又は複数の中間用配管とを平面状に備えた水浄化装置を用いて、水浄化装置を水流に対して遮るように配設すると共に、エアコンプレッサーから凝集沈降剤とエアとの固気混合体を圧送し、多数の散気孔から前記固気混合体を噴射させることによって河川等の水流中にエアカーテンを形成するものであり、更には、複数の水浄化装置を用いて、複数の水浄化装置を水域に対して囲うように配設すると共に、エアコンプレッサーから前記凝集沈降剤とエアとの固気混合体を圧送し、多数の散気孔から前記固気混合体を噴射させることによって河川等の水域中にエアカーテンを形成するものである。
【０００６】
【発明の作用】
本発明の河川等の水浄化方法は、両側の縦用配管と底部の底用配管と中間の中間用配管とを平面状の略凹字状に組設した水浄化装置を河川等の流れを遮るように配設し、縦用配管の上端から凝集沈降剤とエアとの固気混合体をエアコンプレッサーにより圧送して、内方向及び上方向に穿設した多数の散気孔より気泡を放射して、河川等の水流又は水域中にエアカーテンを形成するもので、エアカーテンを通過する水流又はエアカーテンにより水流を発生された水に含まれる微細な汚物は凝集沈降剤によりフロック塊に成り沈降するものであり、汚水は清水となるものである。
【０００７】
従って、本発明の目的は、流れのある河川等の水の浄化を簡易な水浄化装置を用いて的確に行う方法を提供するものである。
【０００８】
【発明の実施の形態】
以下、本発明の河川等の水浄化方法の実施の形態の図面によって具体的に説明する。
【０００９】
図１は本発明の河川等の水浄化方法の実施の形態を説明するための正面説明図あり、図２は本発明の河川等の水浄化方法の実施の形態を説明するための断面説明図であり、図３は本発明の河川等の水浄化方法の実施の形態の概要を説明する説明図あり、図４は本発明の河川等の水浄化方法の他の実施の形態の概要を説明する説明図である。
【００１０】
本発明は河川等の水浄化方法に関するものであり、更に詳細には、河川、海、湖沼等の流れのある場所の汚水を簡易な装置を用いて浄化する方法に関するものであり、請求項１に記載の河川等の水浄化法法は、石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とする微粒子状の凝集沈降剤と、該凝集沈降剤をエアと共に圧送するエアコンプレッサー２と、該エアコンプレッサー２に上端を連通状態に接続し両側の上下方向に対峙させると共に相対する側に多数の散気孔３ａを穿設した夫々の縦用配管３と、該夫々の縦用配管３の下端を連通状態で接続し上側に多数の散気孔４ａを穿設した底用配管４と、該底用配管４と間隔を有して且つ両側の縦用配管３に連通状態で接続すると共に上側に多数の散気孔５ａを穿設した単数又は複数の中間用配管５とを平面状に備えた水浄化装置１を用いて、前記水浄化装置を水流に対して遮るように配設すると共に、前記エアコンプレッサー２から前記凝集沈降剤とエアとの固気混合体を圧送し、前記多数の散気孔３ａ．４ａ．５ａから前記固気混合体を噴射させることによって河川等の水流Ａ中にエアカーテン６を形成するものである。
【００１１】
更に、請求項２に記載の河川等の水浄化法法は、石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とする微粒子状の凝集沈降剤と、該凝集沈降剤をエアと共に圧送するエアコンプレッサー２と、該エアコンプレッサー２に上端を連通状態に接続し両側の上下方向に対峙させると共に相対する側に多数の散気孔３ａを穿設した夫々の縦用配管３と、該夫々の縦用配管３の下端を連通状態で接続し上側に多数の散気孔４ａを穿設した底用配管４と、該底用配管４と間隔を有して且つ両側の縦用配管３に連通状態で接続すると共に上側に多数の散気孔５ａを穿設した単数又は複数の中間用配管５とを平面状に備えた複数の水浄化装置１を用いて、前記複数の水浄化装置１を水域Ｂに対して囲うように配設すると共に、前記エアコンプレッサー２から前記凝集沈降剤とエアとの固気混合体を圧送し、前記多数の散気孔３ａ．４ａ．５ａから前記固気混合体を噴射させることによって河川等の水域Ｂ中にエアカーテン６を形成するものである。
【００１２】
本発明は河川等の水浄化方法によって水を浄化する場所は、水流Ａを有する河川、海、及び、水流Ａの無い湖沼にが良好なもので、湖沼等の流れの無い場所水域Ｂでは人工的に水流Ａを起こしてやることで実施が可能となるものである。
【００１３】
即ち、本発明の河川等の水浄化方法に用いる凝集沈降剤は、石膏成分４０〜６０重量％と硫酸アルミニウム２０〜４０重量％とアルカリ金属炭酸塩１０〜３０重量％とセメント成分５〜１０重量％と高分子凝固剤１〜３重量％とを必須成分とすると共に、０．０３μｍ程度の微粒子状に粉砕しているものである。
【００１４】
そして、エアコンプレッサー２は河川等の岸上に設置するもので、図１に図示する実施の形態では両岸に設置しているが片側だけでも構わないもので、前記凝集沈降剤をエアと混合して後述する縦用配管３の上端と接続させて圧送するものである。
【００１５】
次に、縦用配管３は河川等の両岸に沿って上下方向に対峙させ配設するもので、図１に図示する実施の形態では垂直にしているが、斜めに傾斜させて配設しても構わないものであるが、一対の縦用配管３の相対する側、つまり、内側に多数の散気孔３ａを穿設すると共に、上端は前記エアコンプレッサー２と連通状態に接続しているものである。
【００１６】
更に、底用配管４は前記両側に配設した夫々の縦用配管３の下端と両端とエルボ等を介装して連通状態で接続すると共に、底用配管４の上側に多数の散気孔４ａを穿設しているものである。
【００１７】
次いで、中間用配管５は前記両側に配設した夫々の縦用配管３の中間部位と分岐管等を介装させて連通状態で接続しているものであり、前記底用配管４と同様に上側に多数の散気孔５ａを穿設すると共に、底用配管４と間隔を有して配設するもので、現地の状況に合わせて単数又は複数を使い分けるものであり、例えば、深い河川や、汚染の激しい河川には複数の中間用配管５を用いるものである。
【００１８】
つまり、水浄化装置１は両側の縦用配管３と底用配管４と中間用配管５とは平面状で、且つ、略凹字状に組設されているもので、前記水浄化装置１を河川等の水流Ａに対して遮るように水没させるもので、図３に図示する如く、水流Ａの直角方向に遮るように水没させるものである。
【００１９】
次いで、前述のように配設した水浄化装置１の岸上に設置したエアコンプレッサー２を駆動して凝集沈降剤とエアとの固気混合体を圧送するものであり、該固気混合体は水浄化装置の縦用配管３の上端から流入して縦用配管３を通過して底用配管４や中間用配管５に流入するものである。
【００２０】
そうすると、一部の固気混合体は夫々の縦用配管３の内側に穿設した多数の散気管３ａから噴射されると共に、底用配管４と中間用配管５との上側に穿設した多数の散気管４ａ．５ａからも噴射され、河川等の水流Ａ中にエアカーテン６が形成されるものである。
【００２１】
更には、縦用配管３の内側と底用配管４と中間用配管５との上側とに多数穿設した散気管３ａ．４ａ．５ａの間隔、大きさ、形状、穿設する角度等を変えることによってエアカーテン６の気泡の状態を変えることが可能なものである。
【００２２】
更に、本発明の他の実施の形態の河川等の水浄化方法では、図４に図示する如く、湖沼等の流れのない水域Ｂに好適な水浄化方法であり、例えば、浚渫船等による工事の後の水域Ｂはヘドロ等が巻き上げられて汚染が激しいものであり、流れがないためよどんだ水域Ｂと成っており、該水域Ｂを複数の水浄化装置１で囲うように配設するものである。
【００２３】
そして、浚渫船等に設置したエアコンプレッサー２を駆動して複数の水浄化装置１に凝集沈降剤とエアとの固気混合体を圧送すると、夫々エアカーテン６を形成するものであるが、エアカーテン６が流れを起こし流れのない水域Ｂも浄化されるものである。
【００２４】
つまり、本発明の河川等の水浄化方法は流れを有する水流Ａ、又は、流れのない水域Ｂには流れを起こし、遮るように又は囲うように水浄化装置１を配設して、エアコンプレッサー２により凝集沈降剤とエアとの固気混合体を圧送し、多数の散気管３ａ．４ａ．５ａから固気混合体の気泡を噴射させてエアカーテン６を形成することにより、汚水に含まれる微細な不純物は凝集沈降剤と反応してフロック塊となり下方に沈降するものである。
【００２５】
そして、沈降したフロック塊はバキュームポンプ等で吸い上げる等の手段によって適宜処理するものである。
【００２６】
【発明の効果】
本発明の河川等の水浄化方法は、前述の構成により、両側の縦用配管と底部の底用配管と中間の中間用配管とを平面状の略凹字状に組設した水浄化装置を河川等の流れを遮るように配設し、縦用配管の上端から凝集沈降剤とエアとの固気混合体をエアコンプレッサーにより圧送して、内方向及び上方向に穿設した多数の散気孔より気泡を放射して、河川等の水流又は水域中にエアカーテンを形成するもので、エアカーテンを通過する水流又はエアカーテンにより水流を発生された水に含まれる微細な汚物は凝集沈降剤によりフロック塊に成り沈降するものであり、フロック塊は適宜処理し、汚水は清水となるもので、画期的で実用性の高い発明である。
【図面の簡単な説明】
【図１】図１は本発明の河川等の水浄化方法の実施の形態を説明するための正面説明図ある。
【図２】図２は本発明の河川等の水浄化方法の実施の形態を説明するための断面説明図である。
【図３】図３は本発明の河川等の水浄化方法の実施の形態の概要を説明する説明図ある。
【図４】図４は本発明の河川等の水浄化方法の他の実施の形態の概要を説明する説明図である。
【符号の説明】
Ａ      水流
Ｂ      水域
１      水浄化装置
２      エアコンプレッサー
３      縦用配管
３ａ    散気孔
４      底用配管
４ａ    散気孔
５      中間用配管
５ａ    散気孔
６      エアカーテン
【図１】
2004268010.tif 000003
【図２】
2004268010.tif 000004
【図３】
2004268010.tif 000005
【図４】
2004268010.tif 000006